(57)【要約】【課題】薬剤や食品のような経口物に係わる新規な服用形態又は飲食形態を提供すること。【解決手段】接着性を有し、かつ水分に接触すると軟化する可食性フィルム材料１０からなり、経口物を封入した状態のままで服用又は飲食される可食性フィルム包装体１を提供する。また、この経口物２が封入された可食性フィルム包装体１を、開封せずにそのまま、又は所定時間水に浸漬した後、開封せずにそのまま服用させる経口物摂取方法を提供する。【選択図】図３
2007129706.tif 000002
【特許請求の範囲】
【請求項１】
接着性を有し、かつ水分に接触すると軟化する可食性フィルム材料からなり、経口物を封入した状態のままで服用又は飲食される可食性フィルム包装体。
【請求項２】
熱接着性を利用して作製した請求の範囲第１項記載の可食性フィルム包装体。
【請求項３】
厚み２０〜５０μｍの可食性フィルム材料からなる請求の範囲第１項記載の可食性フィルム包装体。
【請求項４】
日本工業規格（JIS規格）Ｒ３５０３に規定する１０ｍＬビーカーの開口部に可食性フィルム材料を載せ、該可食性フィルム材料で前記ビーカー開口部を覆うように輪ゴムで固定した後、該可食性フィルム材料の中央部に日本工業規格（JIS規格）Ｂ７６０９に規定する１ｇ分銅を載せ、該１ｇ分銅により前記可食性フィルム材料が窪んだ部分に２５℃の精製水５０μＬを添加したときに、該可食性フィルム材料が破れて前記１ｇ分銅が前記１０ｍＬビーカー内に落下するまでの時間が２分以上１０分未満である可食性フィルム材料からなる請求の範囲第１項記載の可食性フィルム包装体。
【請求項５】
内服用の医薬品又は医薬部外品を経口物として用いることを特徴とする請求の範囲第１項記載の可食性フィルム包装体。
【請求項６】
食品を経口物として用いることを特徴とする請求の範囲第１項記載の可食性フィルム包装体。
【請求項７】
請求の範囲第１項から請求の範囲第６項のいずれか一項に記載の可食性フィルム包装体を開封せずにそのまま服用又は飲食させることを特徴とする経口物摂取方法。
【請求項８】
請求の範囲第１項から請求の範囲第６項のいずれか一項に記載の可食性フィルム包装体を開封せずに所定時間水に浸漬した後、そのまま服用又は飲食させることを特徴とする経口物摂取方法。
【発明の詳細な説明】
【技術分野】
【０００１】
本発明は、経口物を封入した可食性フィルム包装体に関する。より詳しくは、内服用の医薬品又は医薬部外品、食品などの経口物を封入した可食性フィルム包装体であって、そのまま服用又は飲食できるように工夫された可食性フィルム包装体に関する。
【背景技術】
【０００２】
内服用の医薬品又は医薬部外品の剤型は、カプセル剤、錠剤、散剤や細粒剤や顆粒剤などのいわゆる粉薬、ゼリー剤、液剤などに大別できる。これらの剤型は、病気の種類や症状、薬の種類、服用のし易さ（以下、「服用性」という。）などの観点から適宜選択されている。【０００３】
服用性については、それぞれの剤型において一長一短があり、個人や年齢によって好みがある。カプセル剤では、その内容物の性質、すなわち味やにおいが悪い場合や刺激性の強い薬の場合には、マスキング性が高く服用し易い。また、色やサイズも適宜選択できることから薬の区別も容易であるなどの長所を持つ。一方、服用時に喉に詰まらせてしまったり、カプセルサイズが大きくなると嚥下困難となったりするということがあり、場合によっては、薬が食道粘膜に付着して食道炎や食道潰瘍になったりするなどの短所がある。【０００４】
錠剤は、携帯に便利であり、錠剤表面を被覆することによって吸収部位の調節も比較的容易であるなどの長所を有する。一方、カプセル剤と同様に、錠剤サイズが大きくなった場合には、嚥下困難であったり、喉に詰まらせてしまったりすることもある。また、食道炎や食道潰瘍を起こす場合もある。さらに、散剤、細粒剤や顆粒剤などの粉薬のように投与量を細かく調節し難いという短所がある。【０００５】
散剤、細粒剤や顆粒剤などの粉薬は、投与量の細かな調節が可能であり、また、錠剤やカプセル剤と比較すると一般的に製剤の崩壊、溶出が速やかであり、薬が体内に吸収され易いという長所がある。【０００６】
散剤、細粒剤や顆粒剤などの粉薬は、東洋医学文化である日本を含むアジア地域では、生薬を煎じて服用することが起源となっているため、ポピュラーな剤型であり、服用に際しては比較的受け入れやすい剤型である。一方、西洋医学文化を中心とする欧州、米国では、こういった剤型はなく、カプセル剤や錠剤が主流であり、受け入れられていない。【０００７】
散剤、細粒剤や顆粒剤などの粉薬は、服用時に、医薬品又は医薬部外品の味やにおいを感じやすく、口腔粘膜に付着したり、入れ歯の隙間に入り込んだりするなど服用時の違和感を伴う点が短所である。このため、特に小児や高齢者には敬遠される傾向があり、服用補助製品が使用される場合も多い。【０００８】
服用補助製品としては、例えば、オブラートや服用補助ゼリー等が市販されている。しかし、これらの服用補助製品は、医薬品又は医薬部外品とは別に購入する必要があるなどの短所がある。また、患者が自らオブラートで医薬品又は医薬部外品を包んだり、服用補助ゼリーと医薬品又は医薬部外品を混ぜたりする作業が発生するため、患者にとっては煩雑である。こうした作業時に医薬品又は医薬部外品をこぼして、適正量が服用できない場合もある。さらに、オブラートを使用する場合には、包み方に個人差が生じ、服用時に口の中で医薬品又は医薬部外品が飛び出してしまうなどの短所もある。【０００９】
液剤やゼリー剤は、喉に流し入れるタイプであるので、服用性に優れており、甘みをつけたシロップ剤は子供に適している。また、水に溶けない樹脂系薬剤など、異物感のある医薬品又は医薬部外品においては、ゼリー剤のツルンとした食感によって服用性が改善されるケースも多い。しかし、味などを工夫しても、有効成分自体の苦味などが強い場合は、甘味剤などでは、苦味などを抑えることが困難な場合も生じるといった短所がある。また、ゼリー剤化することによって、服用ボリュームが大きくなり、携帯性が悪くなるという短所もある。【００１０】
その他、特許文献１には、でん粉質、タンパク質又は食物繊維などの食材によって形成された薬剤用包装体が、特許文献２では、口腔ケア剤、薬学的または獣医学的作用物質、ニュートラシューティカル剤、唾液刺激剤、ビタミン、無機質を練りこんだ可食性リンタンパク質フィルムが開示されている。また、特許文献３には、内容物を湯中へ放出させることができる湯により溶解する溶解包装品が開示されている。これらの包装体等は全て、調理時又は口腔内で溶解するものである。【００１１】
特許文献４には、可食性フィルムと内容物である食用素材とが密着固化された可食性フィルム包装食品が開示されている。この可食性フィルム包装食品は、いわゆるソーセージのような形態である。特許文献５には、カプセル剤に代わる液体又は粉末状等の医薬品や食品を内容物とする可食性ストリップ包装が開示されている。この可食性ストリップ包装は、従来のカプセル剤のように、そのまま飲み込むように設計された包装である。
【特許文献１】特開平１１−３２１９２１号公報
【特許文献２】特開２００６−５０６９８１号公報
【特許文献３】特開平０６−１８３４５６号公報
【特許文献４】特開平０８−８４５６５号公報
【特許文献５】ＵＳ２８３６２９１
【発明の開示】
【発明が解決しようとする課題】
【００１２】
上記のように、医薬品又は医薬部外品の剤型には、その服用性の観点だけで見ても一長一短がある。高齢化が進む年齢人口構成の変化、咀嚼物よりも流動物が好まれる傾向にある食品嗜好の変化、新規医薬品又は医薬部外品の開発の進展などを踏まえると、今後は、従来とは異なる新規な剤型分野が求められると予想される。事実、１９８８年に実施された「高齢者に投与最適な新規包装材および新規包装容器の作成研究」（厚生科学研究班）の報告では、従来の剤型よりも服用性に優れた剤型が要望されている。具体的には、将来希望する剤型として、ゼリー剤、ヨーグルト剤、プリン剤、キャンディー剤、ビスケット剤、チューインガム剤などが挙げられている。【００１３】
また、近年、健康志向の高まりやライフスタイルの変化などを背景に、いわゆる機能性食品が台頭し、食品市場の急成長分野の一つとなっている。医薬品又は医薬部外品と同様に適正摂取量がある機能性成分を含む食品は、自ずと、医薬品又は医薬部外品の剤型と同様又は類似の商品形態（例えば、粉末形態、錠剤形態、カプセル剤形態など）で提供される傾向にある。今後は、この機能性食品に代表されるような食品の多様化に伴って、医薬品又は医薬部外品の服用形態以上にその飲食形態も多様化していくものと予想される。【００１４】
そこで、本発明は、内服用の医薬品又は医薬部外品、食品などのような経口物に係わる新規服用形態又は飲食形態を有する包装形態を提供することを目的とする。より詳しくは、内服用の医薬品や食品などの経口物を封入でき、かつそのまま服用又は飲食できる新規包装体、並びにこの包装体を用いた新規経口摂取方法を提供することを主な目的とする。
【課題を解決するための手段】
【００１５】
本願発明者らは、上記の目的を達成するために、様々な包装形態を研究した結果、従来の服用形態又は飲食形態よりも優れた経口摂取が可能となる、新規な包装形態を見出した。【００１６】
まず、本発明では、接着性を有し、かつ水分に接触すると軟化する可食性フィルム材料からなる、可食性フィルム包装体を提供する。この包装体は、経口物を封入した状態で、そのまま服用又は飲食される可食性フィルム包装体である。【００１７】
ここで、「経口物を封入する」とは、乾燥状態で包装材料に包まれた経口物が包装体の外に飛び出さないようにした包装形態をいい、包装体の形や大きさは特に限定されない。
「接着性」とは、対面する可食性フィルム材料同士が、何らかの現象により離れなくなる性質を意味し、その接着原理は狭く限定されない。一例を挙げると、熱接着性（ヒートシール性）を有するものは、包装加工性の観点などからより好ましい。【００１８】
前記可食性フィルム包装体を形成する可食性フィルム材料の厚みは、２０〜５０μｍであることが好ましい。これは、口腔内では可食性フィルムが溶解せず、軟化するに留まる厚さ、即ち服用又は飲食容易性に優れる厚さであり、服用又は飲食後の胃又は腸内では可食性フィルムが溶解し内容物を直ちに放出し得る厚さ、即ち消化吸収性から好ましいと考えられる厚さである。【００１９】
また、前記可食性フィルム包装体を形成する可食性フィルム材料は、日本工業規格（JIS規格）Ｒ３５０３に規定する１０ｍＬビーカーの開口部に該可食性フィルム材料を載せ、該可食性フィルム材料で前記ビーカー開口部を覆うように輪ゴムで固定した後、該可食性フィルム材料の中央部に日本工業規格（JIS規格）Ｂ７６０９に規定する１ｇ分銅を載せ、該１ｇ分銅により前記可食性フィルム材料が窪んだ部分に２５℃の精製水５０μＬを添加したときに、該可食性フィルム材料が破れて前記１ｇ分銅が前記１０ｍＬビーカー内に落下するまでの時間が２分以上１０分未満であることが好ましい。【００２０】
この方法は、本発明に係る可食性フィルム包装体を形成する可食性フィルム材料の水に対する強度を測定する方法である。落下時間が長いほど、水に対する強度が高い。この方法による落下時間が２分以上１０分未満である可食性フィルム材料は、口腔内では可食性フィルムが溶解せず、軟化するに留まるといった服用又は飲食容易性と、服用又は飲食後の胃又は腸内では可食性フィルムが直ちに溶解し内容物を放出し得るといった消化吸収性の両方を兼ね備えている。【００２１】
前記可食性フィルム包装体を形成する経口物は、内服用の医薬品又は医薬部外品、食品などの経口物であれば様々なものを選ぶことができる。【００２２】
本発明では、さらに、前記可食性フィルム包装体を、開封せずにそのまま服用又は飲食することを特徴とする経口物摂取方法、並びに所定時間水に浸漬した後、開封せずにそのまま服用又は飲食することを特徴とする経口物摂取方法を提供する。【００２３】
以下、本発明で使用する技術用語の定義付けを行う。本発明において「可食性フィルム材料」とは、飲食に適する性質、より具体的には飲食されたときに身体にとって安全であり、消化性、非消化性に関係なく、封入された経口物を一定時間で放出することができる天然高分子などの素材を構成要素とする包装用フィルム材料をいう。「軟化」とは、硬い物理的性質が軟らかい物理的性質に変化することを意味する。
【発明の効果】
【００２４】
本発明は、水で服用したり、そのまま口に含んで服用したりすると、水や唾液によって軟化して変形が容易となる可食性フィルム材料を設計し、これを採用しているので、該可食性フィルム材料で内服用の医薬品又は医薬部外品、食品などの経口物を封入した可食性フィルム包装体のまま服用しても、ツルンとした服用感並びに食感があるため何ら違和感がなく、喉や食道に詰まるような問題が起こらない。【００２５】
また、この可食性フィルム材料が有する接着性並びに水に対する強度により、経口物は胃又は腸内に達するまで可食性フィルム材料に封入された状態が維持される。即ち、服用又は飲食時に可食性フィルム包装体が破れて、口腔内や食道に経口物が飛び出してしまうことがない。【００２６】
従って、本発明の可食性フィルム包装体は、服用又は飲食容易性と、体内での消化吸収性を兼ね備えた全く新しい剤型を提供できる。
【発明を実施するための最良の形態】
【００２７】
以下、本発明を実施するための好適な形態について図を参照しながら説明する。なお、以下に説明する実施形態は、本発明の代表的な実施形態の一例を示したものであり、これにより本発明の範囲を限定するものではない。【００２８】
図１は、本発明に係る可食性フィルム包装体１の一実施形態を表す図である。【００２９】
この図１に示された可食性フィルム包装体１は、厚さ３０μｍの可食性フィルム材料１０からなり、四辺がシールされた、いわゆる四方シールの包装形態をなしている。包装サイズは、例えば、横幅Ｗ２０ｍｍ、縦長Ｌ３０ｍｍに形成されている。なお、包装形態は、四方シールに限定されず、三方シールやピロー包装形態などであってもよく、包装サイズも、前記サイズに限定されることなく、目的や利用者の年齢等の属性に応じて、適宜設計することができる。また、包装の形も図１の例示に限定されることなく、適宜設計することができる。【００３０】
この可食性フィルム包装体１の中には、所定量（所定数）の経口物２がシール部１１によって封入されている。例えば、図１に示されているような顆粒状（粒状）の内服用の医薬品又は医薬部外品、食品などが封入されており、利用者は開封することなく可食性フィルム包装体１を口に含み、唾液で可食性フィルム包装体１を軟化させながら、あるいは水に浸漬し可食性フィルム包装体１を軟化させた後に服用又は飲食する。この可食性フィルム包装体１は、唾液や少量の水では溶解せず、軟化するに留まる。従って、口腔から喉、食道を通じて、封入された経口物２が可食性フィルム包装体１の外に飛び出すことなく胃又は腸内に達する。なお、経口物２の形態は、図１に示されているような顆粒状（粒状）に限定されることなく、水分を含む液状物以外であれば、粉末状や錠剤などの他の形態であってもよい。【００３１】
本発明に係る可食性フィルム包装体１に、水分を含む液状物を封入することができない理由は以下の通りである。本発明に係る可食性フィルム包装体１は、唾液や水分で軟化する可食性フィルム材料１１からなる。そのため、一定温度以上の湯や多量の水を必要とせず、唾液等の少量の水分により容易に軟化する。従って、水分を含む液状物を封入すると、服用又は飲食時以外に、可食性フィルム包装体１が軟化してしまう。また、本発明に係る可食性フィルム包装体１は、水分に接触してから一定時間後に可食性フィルムが溶け、封入した経口物を放出する。従って、水分を含む液状物を封入すると、服用又は飲食時以外に、経口物が放出するおそれがある。【００３２】
可食性フィルム材料１０の素材、厚み、可食性フィルム材料１０の多層化などは自由に設計することができる。以下、可食性フィルム材料１０、可食性フィルム包装体１の形成方法、封入する経口物２、可食性フィルム包装体１の服用又は飲食方法について詳しく説明する。【００３３】
本発明に係る可食性フィルム包装体１を形成する可食性フィルム材料１０は、内服用の医薬品又は医薬部外品、食品などに代表される経口物２を封入するために使用される包装材料であって、前記経口物２を封入した状態である可食性フィルム包装体１のまま服用又は飲食しても問題がない素材からなる。また、この可食性フィルム材料１０は、経口物２を封入可能なように接着性を有しており、かつ、水に接触すると軟化する性質を有している。【００３４】
可食性フィルム材料１０は、上記性質を具備するような天然高分子素材で形成するのが好ましい。例えば、カゼイン（乳タンパク）、ゼラチン、コラーゲン、大豆タンパクなどの天然タンパク質、デンプン、コーンスターチ、デキストリン、アルギン酸、プルラン、ペクチン、セルロース、カラギーナンや寒天などの海藻多糖類や大豆多糖類などの天然多糖類、キチン、キトサンなどの天然食物繊維やこれらの素材を組み合わせたものなどを一例として挙げることができる。【００３５】
このような天然高分子素材は単独で用いてもよいが、目的に応じて複数の材料から構成される素材を用いてもよい。また、医薬品添加物や食品添加物などの成分や特定の効果を有する成分を混合してもよい。例えば、ビタミンＣ、Ｅなどを加えることで、抗酸化作用を有する可食性フィルム材料１０とすることができる。また、消化器粘膜保護成分を加えることで、封入した経口物２による消化器粘膜刺激などを抑制したり、吸収促進効果のある成分を加えることで封入した経口物２の吸収を促進したりすることができる。例えば、鉄剤を封入するときに、可食性フィルム材料１０にビタミンＣを加えておけば、鉄剤の吸収が促進される。【００３６】
また、可食性フィルム包装体１の服用又は飲食容易性と経口物２の消化吸収性を向上させるために、可食性フィルムの柔軟性や強度を調整することを目的として、グリセリンや糖アルコール類等を添加することも可能である。【００３７】
更には、天然高分子素材に風味や色を添加し、服用又は飲食容易性をより高めることもできる。また、封入する経口物２を表す文字や絵などの印刷を付加し、可食性フィルム包装体１の服用又は飲食方法、経口物２の名称、識別コードなどを外から分かるように工夫することもでき、服用及び飲食時に気をつけなければならない事項に関する情報などを記載することも可能である。さらに、可食性フィルム包装体１の製造管理番号、使用期限、賞味期限などの品質に係わる情報を付与することも可能である。【００３８】
可食性フィルム材料１０の厚みは、可食性フィルム材料１０の構成によって、適宜設計することができる。可食性フィルム材料１０が薄すぎると、水分や唾液などの接触により破れ易く、服用又は飲食前、あるいは口腔内において、封入された経口物２が可食性フィルム包装体１の外へ飛び出してしまう可能性が高くなり、服用又は飲食が困難になる。逆に、可食性フィルム材料１０が厚すぎても、水分や唾液などに接触したときに軟化がおこり難く、口腔内で変形せず嚥下が困難となる。さらに、可食性フィルム材料１０が厚すぎる場合は、服用又は飲食後の胃又は腸内において、可食性フィルム包装体１自体が溶け難く、封入された経口物２がなかなか可食性フィルム包装体１の外へ放出されず、消化吸収性をも低下させてしまう。したがって、可食性フィルム材料の種類によって、適した厚みがある。【００３９】
一般的な可食性フィルム材料１０、例えばデンプン系フィルム、ゼラチン系フィルム、カゼイン系フィルム、プルラン系フィルム、アルギン酸系フィルムなどを本発明に係る可食性フィルム包装体１に用いる場合は、その厚みは２０〜５０μｍが好ましい。各種の可食性フィルムの好適な厚さとしては、例えば、ゼラチン系フィルムの場合は好ましくは４０μｍ未満、カゼイン系フィルムの場合は好ましくは８０μｍ未満、より好ましくは５０μｍ未満などが挙げられる。これは、口腔内では可食性フィルムが溶解せず、軟化するに留まる厚さ、即ち服用又は飲食容易性に優れる厚さであり、服用又は飲食後の胃又は腸内では可食性フィルムが直ちに溶解し内容物を放出し得る厚さ、即ち消化吸収性から好ましいと考えられる厚さである。【００４０】
また、可食性フィルム材料１０は、適度に水に対する強度を有するものが望ましい。水に接することにより、容易に可食性フィルム材料１０が破れてしまうような場合には、可食性フィルム包装体１の表面が口腔内で破れてしまい、封入した経口物２が口腔内などで飛び出して、服用性が低下してしまうと考えられるからである。また、逆にあまりにも水に対する強度が高い場合には、可食性フィルム包装体１を服用後、封入した経口物２がなかなか可食性フィルム包装体１から放出されず、経口物２の消化吸収が低下してしまう危険性も考えられるからである。【００４１】
可食性フィルム材料１０の水に対する強度を測定する方法の一例について図２を参照しながら説明する。日本工業規格（JIS規格）Ｒ３５０３に規定する１０ｍＬビーカー３の開口部に可食性フィルム材料１０を載せ（図２中（I）参照）、可食性フィルム材料１０でビーカー３開口部を覆うように輪ゴム４で固定する（図２（II）参照）。可食性フィルム材料１０の中央部に日本工業規格（JIS規格）Ｂ７６０９に規定する１ｇ分銅５１を載せ（図２（III）参照）、分銅５１により可食性フィルム材料１０が窪んだ部分１００に、マイクロピペット６を用いて２５℃の精製水５０μＬを添加する（図２（IV）参照）。そして、可食性フィルム材料１０が破れて分銅５１がビーカー３内に落下するまでの時間を測定する（図２（V）参照）。【００４２】
この方法は、水に対する強度を表すパラメーターとして、１ｇ分銅５１の落下時間を測定する方法であるが、落下時間が長いほど、水に対する強度が強く、落下時間が短いほど、水に対する強度が弱いと考えられる。本発明に係る可食性フィルム包装体１を形成する可食性フィルム材料１０は、この方法における落下時間が２分以上１０分未満であることが好ましい。これは、口腔内では可食性フィルムが溶解せず、軟化するに留まるといった服用又は飲食容易性と、服用又は飲食後の胃又は腸内では可食性フィルムが直ちに溶解し内容物を放出し得るといった消化吸収性の両方を兼ね備えるためである。【００４３】
上記のように可食性フィルム材料１０は、目的に応じた素材によって構成され、目的に応じた厚みや幅に設計された後、経口物２を封入するための包装加工に供される。この包装加工では、目的の経口物２の所定量を封入する加工が行われる。例えば、この包装加工では、可食性フィルム材料１０の接着性を利用して、三方シール、四方シールなどの包装形態が目的に応じて適宜選択されて、経口物２を必要単位量封入し、可食性フィルム包装体１とする。シール形状などの包装形態や可食性フィルム包装体１の大きさや形などは、服用や飲食に適するように配慮して設計することができ、特定の形状などに限定されるものではない。【００４４】
接着の方法は、例えば、加熱による接着方法（いわゆるヒートシール）や水分による接着方法、可食性フィルム材料１０を溶解した材料などを接着剤として使用する方法などを挙げることができるが、特に限定されず、様々な方法で接着させることができる。工業生産的には、接着技術として普及しているヒートシールが好ましい。【００４５】
本可食性フィルム包装体１の内容物である経口物２は、特に限定されないが、例えば、乾燥状態にある粉末状、顆粒状、粒状をなすような内服用の医薬品又は医薬部外品、食品などが好ましい。また、丸剤、錠剤、カプセル剤などを封入することもできる。【００４６】
経口物２は、上記のように単一の経口物２を封入することに限定されず、数種類の内服用の医薬品又は医薬部外品、食品などを一緒に封入して、同時に服用又は飲食できるように工夫することも自由である。例えば、数種類のビタミン剤を一緒に封入することで、総合ビタミン剤として服用できる可食性フィルム包装体１とすることができる。また、目的の内服用の医薬品などと、その副作用を軽減する効果を有する内服用の医薬品などを一緒に封入することで、副作用の発現を抑制することもできる。例えば、消化器に負担をかけやすい鎮痛剤などと、消化器粘膜保護剤などを一緒に封入したり、低カリウム血症を起こしやすい利尿剤などと、カリウム製剤などを一緒に封入したりすることができる。更には、吸収性の悪い内服用の医薬品などと、その吸収を促進する効果を有する成分などを一緒に封入することで、吸収促進を図った可食性フィルム包装体１とすることも可能である。例えば、鉄剤とその吸収を促進するビタミンＣとを一緒に封入することができる。【００４７】
上記で説明した可食性フィルム包装体１は、１層構造に限定されず、接着性や使用の目的に応じて２層構造以上に設計することができる。【００４８】
なお、本可食性フィルム包装体１は、あらかじめ経口物２が封入された状態の可食性フィルム包装体１を個包装として、そのまま流通される。従来のように、内服用の医薬品又は医薬部外品や機能性食品などを服用又は飲食するときに、オブラートや服用補助ゼリーなどの服用補助製品などを使用する場合には、使用者の使用方法などによって、服用又は飲食容易性に差が生じてしまうことがあった。しかし、本可食性フィルム包装体１は、予め経口物２を封入した状態で流通するため、使用者間で服用又は飲食容易性に差が生じ難い。また、使用者はいちいち薬局などに行って、服用補助製品を購入する必要もない。さらに、使用者は服用毎に、服用補助製品と内服用の医薬品又は医薬部外品、食品などとを用いた調製物を調製する必要もなく、煩雑さが解消される。【００４９】
流通段階においては、水分などとの接触により可食性フィルム包装体１が破損するのを防ぐことや経口物２の品質を担保するために、可食性フィルム包装体１にさらに外包装などを施すことも自由である。この外包装は狭く限定されるものではないが、例えば、適当なフィルムを用いたピロー包装やボトル包装形態などが上げられる。【００５０】
図３は、本発明に係る可食性フィルム包装体１の服用又は飲食方法を説明するための図である。【００５１】
第１の服用又は飲食方法は、可食性フィルム包装体１をそのまま口に入れた後に、水を口に含んで水とともに服用又は飲食する例である（図３中のＡ参照）。本発明に係る可食性フィルム包装体１は、唾液や水に接触すると軟化し、変形するため、何ら違和感のない嚥下が可能である。【００５２】
第２の服用又は飲食方法は、コップなどの容器７に入った水に可食性フィルム包装体１を所定時間（例えば、数秒間）浸漬して可食性フィルム包装体１を軟化させた後に、そのまま水と一緒に口へ流し込んで服用又は飲食する例である（図３中のＢ参照）。本発明に係る可食性フィルム包装体は、水に対して適度な強度を有するため、所定時間、水に浸漬しても破れることなく、軟化させることができる。特に、唾液分泌量の低下する高齢者などでは、有効な服用又は飲食方法である。【００５３】
第３の服用又は飲食方法は、コップなどの容器７に入った水に可食性フィルム包装体１を所定時間（例えば、数秒間）浸漬して可食性フィルム包装体１を軟化させた後に、一旦水から取り出し、そのまま口に含み、水とともに、若しくは単独で服用又は飲食する例である（図３中のＣ参照）。第２の服用又は飲食方法と同様に、本可食性フィルム包装体を、水によって、破れることなく軟化させることができる。この方法は、特に、水分摂取量が制限されている患者などに有効な服用又は飲食方法である。【００５４】
前掲したいずれの服用又は飲食方法Ａ〜Ｃも、本発明に係る可食性フィルム包装体１が唾液又は水と接触すると軟化し、喉や食道を通過し易くなる性質を有効に利用している。可食性フィルム材料１０の種類によっては、可食性フィルム包装体１のシール部１１が、シールされていない箇所と比べて硬くなっていることがある。この場合は、服用又は飲食する前に、可食性フィルム包装体１を予め水に浸漬させてシール部分１１を適度に軟化させてから口に入れるように工夫した前掲の服用又は飲食方法（Ｂ、Ｃ）は、さらに有用である。なお、可食性フィルム包装体１のサイズが小さい場合は、そのまま口に含んで唾液と接触させて可食性フィルム包装体１を軟化させてから、そのまま飲み込む服用又は飲食方法も採用可能である。
【実施例１】
【００５５】
実施例１では、後述する実施例３から実施例５で、より正確な物理的特徴を評価するために、平衡水分に達した可食性フィルムを用いるため、各可食性フィルム材料の平衡水分に達する時間を測定した。【００５６】
デンプン系フィルム（株式会社ツキオカ製、以下同じ）、ゼラチン系フィルム（株式会社ツキオカ製、以下同じ）、カゼイン系フィルム（株式会社ツキオカ製、以下同じ）、プルラン系フィルム（株式会社林原商事製、以下同じ）、アルギン酸系フィルム（伊那食品工業株式会社製、以下同じ）、各々約５００ｍｇをプラスチックシャーレに入れて保存室に保存し、質量変動を測定した。保存室の管理条件は、医薬品の安定性試験条件としてＩＣＨガイドラインで定められている長期保存試験条件である温度２５℃±２℃、相対湿度６０％ＲＨ±５％ＲＨとした。【００５７】
結果を表１に示す。表１に示すとおり、温度２５℃±２℃、相対湿度６０％ＲＨ±５％ＲＨの雰囲気下で２日間以上保存したとき、可食性フィルム材料の種類によらず可食性フィルム材料の水分は平衡に達し、質量が一定となった。
【表１】
2007129706.tif 000003
【００５８】
実施例１により、可食性フィルム材料はフィルムの種類に係わらず、温度２５℃±２℃、相対湿度６０％ＲＨ±５％ＲＨの雰囲気下で２日間以上保存すれば、平衡水分に達することが分かった。
【実施例２】
【００５９】
実施例２では、後述する実施例３から実施例５で、より正確な物理的特徴を評価するために、平衡水分に達した可食性フィルムを用いるため、各可食性フィルム材料の平衡水分時の具体的な水分量を測定した。【００６０】
まず、実施例１と同様の条件下（温度２５℃±２℃，相対湿度６０％ＲＨ±５％ＲＨ）で、各可食性フィルム材料各々約５００ｍｇをプラスチックシャーレに入れて保存した。保存開始前及び保存４８時間後に可食性フィルム材料の平衡水分を測定した。【００６１】
具体的な水分測定方法は、以下の通りに行った。まず、加熱乾燥式水分計(株式会社エー・アンド・デイ、型番ＭＸ−５０、機体番号Ｐ１００２７８１)の天秤皿に、各可食性フィルム材料検体約０．１ｇ以上を載せ、１３０℃に昇温させた。この状態で、１分間隔で可食性フィルム材料検体の質量を測定した。このときの各測定ポイントの質量変動が０．１％／分以下となった時点を終点とし、質量の減少値から平衡水分時の水分量を求めた。【００６２】
結果を表２に示す。可食性フィルム材料の温度２５℃±２℃、相対湿度６０％ＲＨ±５％ＲＨにおける平衡水分は、デンプン系フィルムでは１１．２８％、ゼラチン系フィルムでは１３．７０％、カゼイン系フィルムでは１２．０６％、プルラン系フィルムでは２７．４３％、アルギン酸系フィルムでは２４．５０％であることが分かった。
【表２】
2007129706.tif 000004
【実施例３】
【００６３】
実施例３では、各可食性フィルム材料の柔軟性（変形容易性）を評価した。【００６４】
柔軟性（変形容易性）評価は、厚み約１０μｍのデンプン系フィルム（以下「１０μｍデンプン系フィルム」とする。）、厚み約１０μｍのゼラチン系フィルム（以下「１０μｍゼラチン系フィルム」とする。）、厚み約２０μｍのゼラチン系フィルム（以下「２０μｍゼラチン系フィルム」とする。）、厚み約４０μｍのゼラチン系フィルム（以下「４０μｍゼラチン系フィルム」とする。）、厚み約３０μｍのカゼイン系フィルム（以下「３０μｍカゼイン系フィルム」とする。）、厚み約５０μｍのカゼイン系フィルム（以下「５０μｍカゼイン系フィルム」とする。）、厚み約８０μｍのカゼイン系フィルム（以下「８０μｍカゼイン系フィルム」とする。）、厚み約２０μｍのプルラン系フィルム（以下「２０μｍプルラン系フィルム」とする。）、厚み約３０μｍのプルラン系フィルム（以下「３０μｍプルラン系フィルム」とする。）、厚み約３０μｍのアルギン酸系フィルム（以下「３０μｍアルギン酸系フィルム」とする。）について実施した。【００６５】
まず、各可食性フィルム材料を、実施例１及び実施例２と同様の条件下（温度２５℃±２℃，相対湿度６０％ＲＨ±５％ＲＨ）で、２日間以上保存し、平衡水分にした。その後、同様の条件下（温度２５℃±２℃，相対湿度６０％ＲＨ±５％ＲＨ）で、以下の方法で柔軟性（変形容易性）を評価した。【００６６】
各可食性フィルム材料の柔軟性（変形容易性）の評価は以下のように行った。評価方法について、図４を参照しながら説明する。まず、アクリル製試料台８に厚さ約２５０μｍ、２×４ｃｍのポリ塩化ビニルフィルム９を載せ、ポリ塩化ビニルフィルム９の両端をセロハンテープＴで試料台８に固定した（図４（I）参照）。次に、試料台８とポリ塩化ビニルフィルム９の間に２ｃｍ×１０ｃｍの大きさに切り取った各可食性フィルム材料検体１０の一端１０１を差し入れ、固定した（図４（II）参照）。そして、可食性フィルム材料検体１０の逆端１０２から、図４（III）に示すように、可食性フィルム材料検体１０に折り目が付かないようにして湾曲させながら曲げ、下層から試料台8、可食性フィルム材料検体１０の一端１０１、ポリ塩化ビニルフィルム9、可食性フィルム材料検体１０の逆端１０２の順となるように重ね合わせた。この可食性フィルム材料検体１０を重ね合わせた部分に１０ｇの分銅５２を載せた（図４（IV）参照）。その後、約３０秒後に分銅５２を取り除き，この時点から可食性フィルム材料検体１０の逆端１０２が試料台８に接した状態に戻るまでの時間を計測した（図４（V）、（VI）参照）。【００６７】
計測時間が長い可食性フィルム材料１０ほど、柔軟性（変形容易性）が高いと考えられるため、表３の基準により計測時間を基に柔軟性（変形容易性）スコアを求めた。なお、可食性フィルム材料１０毎に３回繰り返し、柔軟性（変形容易性）スコアの平均値を求めた。
【表３】
2007129706.tif 000005
【００６８】
結果を表４に示す。可食性フィルム材料１０の厚さが５０μm未満では、可食性フィルム材料１０の種類に係わらず、計測時間はいずれも３分以上で、柔軟性（変形容易性）スコア平均値は４点であった。逆に可食性フィルム材料１０の厚さが５０μm以上では、計測時間は１分未満で、柔軟性（変形容易性）スコア平均値は１点であった。
【表４】
2007129706.tif 000006
【００６９】
実施例３により、可食性フィルム材料１０の厚さが５０μm未満では、可食性フィルム材料１０の種類に係わらず、柔軟性（変形容易性）が良いことが分かった。逆に可食性フィルム材料１０の厚さが５０μm以上では、柔軟性（変形容易性）が悪いことが分かった。
【実施例４】
【００７０】
実施例４では、各可食性フィルムの水に対する強度を評価した。【００７１】
実施例３において柔軟性評価を行った全ての可食性フィルム材料を用いて、実施例１、実施例２、及び実施例３と同様の条件下（温度２５℃±２℃、相対湿度６０％ＲＨ±５％ＲＨ）で２日間以上保存し、平衡水分にした。その後、同様の条件下（温度２５℃±２℃，相対湿度６０％ＲＨ±５％ＲＨ）で、以下の方法で水に対する強度を評価した。【００７２】
各可食性フィルム材料の水に対する強度の評価は以下のように行った。評価方法を、図２を参照しながら説明する。まず、１０ｍＬビーカー３の開口部に可食性フィルム材料検体１０を乗せ（図２（I）参照）、輪ゴム４で固定した（図２（II）参照）。固定した可食性フィルム材料検体１０の中央部に１ｇの分銅５１を載せた。分銅５１で可食性フィルム材料検体１０が窪んだ部分１００に、マイクロピペット６を用いて２５℃の精製水５０μＬを添加した。精製水添加後、可食性フィルム材料検体１０が破れて、分銅５１がビーカー３内に落下するまでの時間をストップウォッチで計測した。【００７３】
前述したとおり、強度が弱すぎても強すぎても服用性が悪くなることから、表５の基準により、計測時間を基に強度スコアを求めた。なお、可食性フィルム材料１０毎に３回繰り返し、水に対する強度スコアの平均値を求めた。
【表５】
2007129706.tif 000007
【００７４】
結果を表６に示す。１０μｍデンプン系フィルムは、精製水添加からわずか１秒で分銅５１が落下した。また、４０μｍゼラチン系フィルム、及び８０μｍカゼイン系フィルムは、いずれも精製水添加から１０分以上経過しないと分銅５１が落下しなかった。それ以外の可食性フィルム材料に関しては、精製水添加から分銅５１が落下するまでの時間は、約２分から約８分程度であった。
【表６】
2007129706.tif 000008
【００７５】
実施例４の結果から、１０μｍデンプン系フィルムは、水に対する強度が極端に弱いため、本発明に係る可食性フィルム包装体１の材料とし難いと考えられる。１０μｍデンプン系フィルムは、一般にオブラートを形成するものである。逆に、４０μｍゼラチン系フィルム、及び８０μｍカゼイン系フィルムは、水に対する強度が強すぎるため、可食性フィルム包装体１の内容物の放出が妨げられ、好ましくないと考えられる。なお、ゼラチン系フィルムでは、他のフィルムに比べて強度が強い傾向を示した。【００７６】
可食性フィルム材料検体１０の柔軟性（変形容易性）と水に対する強度によって、可食性フィルム包装体１の服用性の良し悪しに影響を与えると考えられることから、実施例３で求めた柔軟性（変形容易性）スコアと、実施例４で求めた強度スコアの合計を物理的な総合評価を表すものとして、物理的特性スコアとした。物理的特性スコアを表７に示す。
【表７】
2007129706.tif 000009
【実施例５】
【００７７】
実施例５では、可食性フィルム包装体１の実際の服用性と、上記で求めた可食性フィルム材料検体１０の物理的特性スコアが相関するか否かを調べた。【００７８】
＜可食性フィルム包装体１の作製＞
可食性フィルム包装体１の作製は以下のように行った。作製方法を、図５を参照しながら説明する。実施例３、及び実施例４で用いた各可食性フィルム材料１０を、それぞれ横幅Ｗ３０ｍｍ、縦長Ｌ３０ｍｍの大きさに２枚切り取った（図５中の図Ｉ参照）。切り取った可食性フィルム材料１０を重ね合わせて、三辺１０３をヒートシールして、可食性フィルム材料１０による袋を作製した。これに結晶セルロースＣｅを約１ｇ入れた（図５（II）参照）。そして、開口部の一辺１０４をヒートシールして、可食性フィルム包装体１を作製した。【００７９】
＜可食性フィルム包装体１の服用性評価＞
上記で作製した可食性フィルム包装体１をボランティア３名に対して，以下の２つの方法で服用させた。服用方法を、図６を参照しながら説明する。まず、可食性フィルム包装体１を口内に入れ、水とともに服用する方法を服用方法Ｄとした。可食性フィルム包装体１の一端を手で持ち、コップ７１内の水中に約５秒間浸漬後に可食性フィルム包装体１を取り出して、口の中に入れ、水とともに服用する方法を服用方法Ｅとした。なお、服用に際しては、可食性フィルム包装体１の名称、可食性フィルムの材料等が分からないように服用順をランダマイズ化した。【００８０】
服用性については、表８の服用性評価基準に従って服用性スコアを求めた。ここで、表８中の「服用できなかった」とは、例えば、可食性フィルム包装体１が口の中で軟化せず、変形しないために飲み込むことができないときや、服用前に可食性フィルム包装体１の表面の可食性フィルム７が破れてしまって、内容物である結晶セルロースＣｅが可食性包装体１の外へ飛び出してしまったときなどである。
【表８】
2007129706.tif 000010
【００８１】
＜可食性フィルム包装体１の服用性の総合判定＞
ボランティア３名による服用性スコアから、各服用時の全平均値を求め、表９に示す基準で各服用時における可食性フィルム包装体１の服用性の総合判定をした。可食性フィルム包装体１の服用性は、服用性スコアの全平均値５．０点以上６．０点未満の範囲を「より有用である（○）」、３．０点以上５．０点未満の範囲を「有用である（△）」、１．０点以上３．０点未満の範囲を「有用でない（×）」として、服用性の総合判定を行った。
【表９】
2007129706.tif 000011
【００８２】
服用性の総合判定の結果を表１０に示す。厚みが１０μｍの可食性フィルム包装体１はフィルム素材にかかわらず、服用方法Ｄでは比較的服用性が良かったが、服用方法Ｅでは、可食性フィルム包装体１を水中に短時間浸漬しただけで外側の可食性フィルム材料１０が溶解し、内容物である結晶セルロースＣｅが水中に放出し、服用できないケースがあった。総合判定では、有用である(△)となった。【００８３】
ゼラチン系、カゼイン系の可食性フィルム包装体１では、２０〜５０μｍの厚みでは服用方法によって若干の差はあるものの、総合判定は有用である（△）となった。一方、カゼイン系の厚み８０μｍの可食性フィルム包装体１では、服用方法Ｄにおいては、可食性フィルム材料１０が硬すぎて服用性が悪かった。服用方法Ｅにおいても、可食性フィルム材料１０は水に浸漬することにより多少やわらかくなるが、それでも服用性が悪く、総合判定では有用でない(×)となった。【００８４】
プルラン系、アルギン酸系の可食性フィルム包装体１では、どちらの服用方法においても総合判定はより有用である(○)となった。
【表１０】
2007129706.tif 000012
【００８５】
＜服用性の総合判定と物理的特性の相関関係＞
上記で得られた可食性フィルム包装体１の服用性の総合判定と、実施例３及び実施例４で得られた可食性フィルム材料１０の物理的特性とが、相関関係があるか否か両者を対比した。各可食性フィルム包装体１の服用性の総合判定と、各可食性フィルム材料１０の物理的特性スコアの対比を表１１に示す。
【表１１】
2007129706.tif 000013
【００８６】
物理的特性スコアが５点以上の可食性フィルム材料１０を用いて作製された可食性フィルム包装体１の服用性は全て、有用である(△)、又はより有用である（○）の総合判定であった。服用性の総合判定が有用である(△)、又はより有用である（○）となるために必要な可食性フィルム包装体１に使用する可食性フィルム材料１０の物理的特性には、実施例３で示した柔軟性（変形容易性）と、実施例４で示した水に対する強度との両方の性質を有する必要があることが認められた。【００８７】
実施例５では、使用する可食性フィルム材料１０の物理的特性スコアが高いほど、可食性フィルム包装体１の服用性の総合判定でもより有用であることが分かった。即ち、可食性フィルム包装体１の実際の服用性の良さと、可食性フィルム材料１０の物理的特性との間には、相関関係がみられることが分かった。【００８８】
また、実施例３で調べた柔軟性（変形容易性）、実施例４で調べた水に対する強度及び実施例５で調べた各服用方法における服用性から総合的に判断すると、本発明に係る可食性フィルム包装体１に用いる可食性フィルム材料１０の厚さは、２０〜５０μｍであることが好ましいことが分かった。また、それぞれの可食性フィルム材料の好適な厚さとしては、例えば、ゼラチン系フィルムの場合は好ましくは４０μｍ未満、カゼイン系フィルムの場合は好ましくは８０μｍ未満、より好ましくは５０μｍ未満であることが分かった。
【実施例６】
【００８９】
実施例６では、目的の経口物を、可食性フィルム包装体として服用する場合、一般的に用いられている剤型を用いて服用する場合、及び服用補助製品を使用して服用する場合における服用性の違いを調べた。経口物としては、実施例６と同様に結晶セルロースを用いた。【００９０】
＜各剤型の作製＞
可食性フィルム包装体としては、可食性フィルム材料１０として３０μｍアルギン酸系フィルムを用い、実施例５と同様の方法で、結晶セルロース２ｇを含む可食性フィルム包装体を作製した。一般に用いられている剤型としては、結晶セルロース２ｇをそのままの状態で用いる細粒剤（以下「細粒剤」と称する。）と、１号ゼラチンカプセル５つに、結晶セルロース２ｇを４００ｍｇずつ分けて充填したカプセル剤（以下「カプセル剤」と称する。）とを作製した。服用補助製品を使用する場合としては、市販の袋オブラートに結晶セルロース２ｇを入れたもの（以下「袋オブラート製剤」と称する。）と、市販の服用補助ゼリーに結晶セルロース２ｇを混合したもの（以下「ゼリー製剤」と称する。）とを作製して用いた。【００９１】
＜服用性評価＞
上記で作製した５種類の剤型を用いて、ボランティア２７名により服用性を評価した。５種類の剤型を、表１２に示す服用性評価基準に従って評価し、スコア化した。また同時に、５種類の剤型を服用し易い順に順位付けし、表１３に従ってスコア化した。
【表１２】
2007129706.tif 000014
【表１３】
2007129706.tif 000015
【００９２】
各評価結果の平均値スコアとその合計を表１４に示す。服用性評価スコア平均値の比較では、可食性フィルム包装体、細粒剤、カプセル剤、袋オブラート製剤、ゼリー製剤の順であり、５種類の剤型の中で、本発明の可食性フィルム包装体の服用性が最も良好であることが分かった。服用性順位スコア平均値の比較では、本発明の可食性フィルム包装体、細粒剤、カプセル剤、袋オブラート製剤、ゼリー製剤の順であり、５種類の剤型の中で、本発明の可食性フィルム包装体の服用性が最も良好であることが分かった。また、服用性評価スコアと服用性順位スコアの合計でも、本発明の可食性フィルム包装体が最も良好であることが分かった。【００９３】
実施例６より、目的の経口物を、可食性フィルム包装体として服用する場合は、一般的に用いられている剤型を用いて服用する場合、および、服用補助製品を使用して服用する場合のいずれよりも、服用性が優れていることが示された。
【表１４】
2007129706.tif 000016
【産業上の利用可能性】
【００９４】
本発明に係る可食性フィルム包装体は、内服用の医薬品又は医薬部外品、食品などの経口物を封入し、そのまま服用又は飲食できる新規包装体として利用できる。この可食性フィルム包装体は、従来のカプセル剤、錠剤、散剤や細粒剤や顆粒剤（いわゆる粉薬）、ゼリー剤、液剤の範疇には入らない新規な剤型として利用できる。また、この可食性フィルム包装体は、適切な摂取量が推奨される機能性食品などの食品の新規飲食形態として利用できる。
【図面の簡単な説明】
【００９５】
【図１】本発明に係る可食性フィルム包装体１の一実施形態を表す図である。
【図２】各可食性フィルム材料１０の水に対する強度の評価方法を示す図である。
【図３】本発明に係る可食性フィルム包装体１の服用又は飲食方法を説明するための図である。
【図４】実施例３において、各可食性フィルム材料１０の柔軟性の評価方法を示す図である。
【図５】実施例５において、可食性フィルム包装体１の作製方法を示す図である。
【図６】実施例５において、可食性フィルム包装体１の服用方法を示す図である。
【符号の説明】
【００９６】
１  可食性フィルム包装体
２  経口物
１１  シール部
１０  可食性フィルム材料（検体）
１００  窪んだ部分
３  １０ｍＬビーカー
４  輪ゴム
５１  １ｇ分銅
６  マイクロピペット
７  容器
Ａ，Ｂ，Ｃ  服用又は飲食方法
８  試料台
９  ポリ塩化ビニルフィルム
Ｔ  セロハンテープ
１０１  可食性フィルム材料検体の一端
１０２  可食性フィルム材料検体の逆端
５２  １０ｇ分銅
Ｃｅ  結晶セルロース
７１  コップ
Ｄ，Ｅ  服用方法
【図１】
2007129706.tif 000017
【図２】
2007129706.tif 000018
【図３】
2007129706.tif 000019
【図４】
2007129706.tif 000020
【図５】
2007129706.tif 000021
【図６】
2007129706.tif 000022
【国際調査報告】
2007129706.tif 000023
2007129706.tif 000024